(57)【要約】左右方向に所定のピッチで多数形成され前後方向に延在する第１ガイド部７０を有する前方側商品を陳列する商品陳列面７と、商品陳列面７上に載置され該第１ガイド部７０にガイドされ、第１底板４１と第１底板４１の前方端から立設する前方部材４２を備える後方側商品Ａを載置する移動枠体４と、移動枠体４の第１底板４１上に設置され、自然状態において常に前方移動状態にある商品前出し体２と、を有し、移動枠体４の第１底板４１の裏面のローラーを、商品陳列面７にリブ部材を付設した。本発明によれば、商品が前後方向に多量に並ぶ場合であっても、陳列商品を自動的に確実に前に送り出す作用力があり、作業者の前出し作業の労力を軽減すると共に、顧客にとっては商品が取り出し易い商品自動前出し棚装置を提供することができる。【特許請求の範囲】
【請求項１】
左右方向に所定のピッチで多数形成され前後方向に延在する第１ガイド部を有する前方側商品を陳列する商品陳列面と、
該商品陳列面上に載置され該第１ガイド部にガイドされ、第１底板と該第１底板の前方端から立設する前方部材を備える後方側商品を載置する移動枠体と、
該移動枠体の第１底板上に設置され、自然状態において常に前方移動状態にある商品前出し体と、
を有し、該移動枠体の該第１底板の裏面又は該商品陳列面のいずれか一方又は両方に第１滑り手段を付設したことを特徴とする商品自動前出し棚装置。
【請求項２】
更に、該商品前出し体により前出し状態にある陳列商品を区画する商品仕切り板を備えることを特徴とする請求項１記載の商品自動前出し棚装置。
【請求項３】
該商品前出し体が、第２底板と、該第２底板から立設する商品押圧体を備えることを特徴とする請求項１又は２記載の商品自動前出し棚装置。
【請求項４】
該第２底板の裏面又は該第１底板の上面のいずれか一方又は両方に第２滑り手段を付設したことを特徴とする請求項３記載の商品自動前出し棚装置。
【請求項５】
該商品陳列面を形成する陳列棚の前方に、更に商品転落防止板を付設することを特徴とする請求項１〜４のいずれか１項記載の商品自動前出し棚装置。
【請求項６】
該商品前出し体は、該移動枠体に形成された第２ガイド部により、該移動枠体内における前方への移動がガイドされることを特徴とする請求項１〜５のいずれか１項記載の商品自動前出し棚装置。
【請求項７】
自然状態において常に前方移動状態とする手段が、該商品陳列面を形成する陳列棚の前方端と該商品前出し体を接続する接続部材により該商品前出し体を前方へ引っ張る手段であるか、該陳列棚の後方端と該商品前出し体を離す方向に付勢する弾発部材により該商品前出し体を前方へ押し出す手段であるか、又は該商品陳列面を前方下り傾斜とする手段であることを特徴とする請求項１〜６のいずれか１項記載の商品自動前出し棚装置。
【請求項８】
該第１滑り手段が、ローラー、前後方向に延出するリブ部材又は滑り材であることを特徴とする請求項１〜３のいずれか１項記載の商品自動前出し棚装置。
【発明の詳細な説明】
【技術分野】  本発明は、スーパーなどで使用される陳列商品の前出しを容易にする商品自動前出し棚装置に関するものである。
【背景技術】  スーパー等において、陳列された商品は陳列棚の手前の方から順次売れるため、時間がたつにつれ陳列棚の手前には商品が無くなったり、ごく少量になったりする。この場合、客は陳列棚の奥の方にある商品を見逃したり、何となく取り辛かったりして、購買意欲が急速に低下し商品の売れ行きに悪い影響を及ぼすことが多くなる。これを解決するため、作業者は、奥に残っている商品を手前に移し、その後方に新しい商品を補充する作業を頻繁に行うことになる。
しかしながら、新しい商品を後方の空間へ補充する作業は、前方にある商品が邪魔をして行い難い。また、奥にある商品を手前に移すのも大変な作業となっている。近年、このような新しい商品の補充を行い易くしたり、商品を常に前出し状態にする方法や装置が種々提案されている。
例えば登録実用新案第３０４３２８８号公報には、固定されている商品陳列棚の棚全体を、ワンタッチで手前への引き出しを可能とし、陳列商品の前面への再整列、整理整頓、並びに補充業務を安全、迅速かつ正確に実施できる新器具が開示されている。この新器具は回転車を組み込んだ中継具と、既存の陳列棚支持具に相当する逆Ｌ字型基軸盤、更に２種類の器具を包み込む支持器カバーを設け、これらの器具を一体として組み込んだものである。また、商品陳列棚が前後方向に移動するのではなく、固定された商品陳列棚に商品前出し機能を有する商品前出し体を設置して、陳列商品を自動的に前に押し出すものも知られている。
【特許文献１】登録実用新案第３０４３２８８号公報（請求項１）
しかしながら、登録実用新案第３０４３２８８号公報記載の新器具は、中継具の中に回転車を組み込んでいるなど構造が複雑であり、製造コストが高いという問題がある。また、、従来の商品前出し体は、前方下り傾斜の陳列面に設置され且つ錘を載せたものであるため、前方への押圧力が小さく、前後方向に多量の商品が並ぶ場合には、商品を前方へ確実に送り出すことはできなかった。
従って、本発明の目的は、商品が前後方向に多量に並ぶ場合であっても、陳列商品を自動的に確実に前に送り出す作用力があり、作業者の前出し作業の労力を軽減すると共に、顧客にとっては商品が取り出し易い商品自動前出し棚装置を提供することにある。
【発明の開示】
すなわち、本発明は、左右方向に所定のピッチで多数形成され前後方向に延在する第１ガイド部を有する前方側商品を陳列する商品陳列面と、該商品陳列面上に載置され該第１ガイド部にガイドされ、第１底板と該第１底板の前方端から立設する前方部材を備える後方側商品を載置する移動枠体と、該移動枠体の第１底板上に設置され、自然状態において常に前方移動状態にある商品前出し体と、を有し、該移動枠体の該第１底板の裏面又は該商品陳列面のいずれか一方又は両方に第１滑り手段を付設したことを特徴とする商品自動前出し棚装置を提供するものである。
また、本発明は、更に、該商品前出し体により前出し状態にある陳列商品を区画する商品仕切り板を備える前記商品自動前出し棚装置を提供するものである。
また、本発明は、該商品前出し体が、第２底板と、該第２底板から立設する商品押圧体を備えることを特徴とする前記商品自動前出し棚装置を提供するものである。
また、本発明は、該第２底板の裏面又は該第１底板の上面のいずれか一方又は両方に第２滑り手段を付設したことを特徴とする前記商品自動前出し棚装置を提供するものである。
また、本発明は、該商品陳列面を形成する陳列棚の前方に、更に商品転落防止板を付設することを特徴とする前記商品自動前出し棚装置を提供するものである。
また、本発明は、該商品前出し体は、該移動枠体に形成された第２ガイド部により、該移動枠体内における前方への移動がガイドされる前記商品自動前出し棚装置を提供するものである。
また、本発明は、自然状態において常に前方移動状態とする手段が、該商品陳列面を形成する陳列棚の前方端と該商品前出し体を接続する接続部材により該商品前出し体を前方へ引っ張る手段であるか、該陳列棚の後方端と該商品前出し体を離す方向に付勢する弾発部材により該商品前出し体を前方へ押し出す手段であるか、又は該商品陳列面を前方下り傾斜とする手段であることを特徴とする前記商品自動前出し棚装置を提供するものである。
また、本発明は、該第１滑り手段が、ローラー、前後方向に延出するリブ部材又は滑り材である前記商品自動前出し棚装置を提供するものである。
本発明の商品自動前出し棚装置によれば、商品が前後方向に多量に並ぶ場合であっても、陳列商品を自動的に直進性を維持して確実に前に送り出す作用力があり、作業者の前出し作業の労力を軽減すると共に、顧客にとっては商品が取り出し易いものである。特に、移動枠体に載置される商品は、前方側商品が取り出されて前出しされる際には、移動枠体ごと移動するため、載置面との摩擦は発生せず、前出しを一層円滑にする。また、幅寸法が異なる商品毎に横並びで且つ縦列に陳列する場合、商品の幅に見合うピッチで縦列商品毎に個別に好適な前出しができる。
【図面の簡単な説明】  第１図は、第１の実施の形態における商品自動前出し棚装置の分解斜視図であり、第２図は、第１図の商品自動前出し棚装置の組み付け方法を説明する図であり、第３図は、商品前出し体を組み込んだ移動枠体の斜視図であり、第４図は、第３図の移動枠体を裏面から見た斜視図であり、第５図は、第１図の陳列棚の部分拡大図であり、第６図は、本例の商品陳列面と移動枠体の当接状態を説明する図であり、第７図は、移動枠体と商品前出し体の当接状態を説明する図であり、第８図は、第２の実施の形態例の商品自動前出し棚装置で用いる陳列棚の一部を示す斜視図であり、第９図は、商品陳列面と移動枠体の当接状態を説明する図であり、第１０図は、第３の実施の形態例の商品自動前出し棚装置で用いる商品前出し体を組み込んだ移動枠体の斜視図であり、第１１図は、本例の前出し棚装置で用いる陳列棚の一部を示す斜視図であり、第１２図は、本例の商品陳列面と移動枠体の当接状態を説明する図であり、第１３図は、第４の実施の形態例の商品自動前出し棚装置で用いる商品前出し体を組み込んだ移動枠体の斜視図であり、第１４図は、本例の前出し棚装置で用いる陳列棚の一部を示す斜視図であり、第１５図は、本例の商品陳列面と移動枠体の当接状態を説明する図であり、第１６図は、第１０図の移動枠体の変形例を示す図である。
【発明を実施するための最良の形態】  次に、本発明の第１の実施の形態における商品自動前出し棚装置（以下、単に「前出し棚装置」とも言う。）を第１図〜第７図を参照して説明する。第１図は第１の実施の形態における商品自動前出し棚装置の分解斜視図、第２図は第１図の前出し棚装置の組み付け方法を説明する図、第３図は移動枠体の斜視図、第４図は第３図の移動枠体を裏面から見た斜視図、第５図は第１図の陳列棚の部分拡大図、第６図は商品陳列面と移動枠体の当接状態を説明する図、第７図は移動枠体と商品前出し体の当接状態を説明する図である。なお、第７図において、商品陳列面の記載は省略した。本明細書において、「前」は商品を取り出す側（符号Ｘ）、すなわち顧客側を言い、「後」はその反対側（符号Ｙ）を言う。また、左右方向は前側から見た方向を示す。また、自然状態とは設置状態を言う。
第１図中、商品自動前出し棚装置１０は、左右方向に所定のピッチで多数形成され前後方向に延在するガイド部７０を有する商品陳列面７と、商品陳列面７上に載置され第１ガイド部７０にガイドされ、第１底板４１と第１底板４１の前方端から立設する前方部材４２を備える後方側商品Ａを載置する移動枠体４と、移動枠体４の第１底板４１上に載置される、設置状態において常に前方移動状態にある商品前出し体２を有し、移動枠体４の第１底板４１の裏面に第１滑り手段であるローラー２９を有し、移動枠体４が設置される商品陳列面７の上面に第１滑り手段であるリブ部材７０を左右方向に所定のピッチで前後方向に延出するように付設し、更に商品前出し体２の第２底板２２の裏面に第２滑り手段であるローラー２３を前後方向に多数付設し、更に第１底板４１の上面に第２滑り手段であるリブ部材４６を左右方向に所定のピッチで前後方向に延出するようにしている。
なお、滑り手段としては、第１滑り手段及び第２滑り手段共に、ローラー及び前後方向に延出するリブ部材の他、滑り材が挙げられる。滑り材は通常の鋼板に摩擦低減効果のある被覆剤をコーティングしたもの、フッ素系樹脂などの低摩擦材、あるいはエンボス加工面など接触面積を低減したものが挙げられる。
なお、商品前出し体２の底板２２の裏面にローラー等の滑り部材を付設する形態としては、上記の他、例えば商品前出し体２の底板２２の側面に小さな車輪を付設したものであってもよい。また、移動枠体４の第１底板４１の前方端から立設する前方部材４２の高さ寸法としては、第１図及び第３図に示すようなものに限定されず、例えば高さ寸法の小さな左右に延在する所謂リブ状のような部材であってもよい。前方部材の高さが低くとも、商品の前方移動を規制することができるし、例えその前方移動の規制が弱いものであっても、前方部材４２の前方には更に陳列商品が置かれているため、前方への転落を防止することができる。
移動枠体４の第１底板４１は左右方向の中央部が前端から所定の幅と長さにくり抜かれた長穴４３（ガイド穴）を有し、長穴４３の後方の第１底板４１部分には帯状鋼板３が通る開口３３を有し、前方端に上方に屈曲した前方部材４２を有する。第１底板４１の長穴４３の両側の上面には、リブ部材４６が左右方向に所定のピッチで且つ前後方向に延出している。前方部材４２は移動枠体４内に載置される後方側商品Ａの前方を区画すると共に、商品Ａの前方への転落を防止する。第１滑り手段のローラー２９はレール状の突起でもよく、また第２滑り手段のローラー２３は省略することができる。
商品前出し体２は、幅寸法が移動枠体４の第１底板４１の幅寸法と略同じの矩形状の第２底板２２と第２底板２２の前方端から立設する幅寸法が第１底板４１の幅寸法と同じの矩形状の商品押圧板２１を備え、側面視形状が略Ｌ字形状である。第２底板２２の下面中央には、ガイド穴４３に遊嵌し、前方移動をガイドする突起部２５を有する。また、帯状鋼板３（接続部材）の前端は商品陳列面７の前方側に固定され、帯状鋼板３の後端は商品押圧板２１の裏面に帯状鋼板３を巻回して収納するぜんまい収納部３６に接続され、設置状態において、商品前出し体２は常に前方に引っ張られるようになっている（第２図の左側の移動枠体）。
なお、商品前出し体２の形態はこれに限定されず、例えば第２底板２２が商品押圧板２１の下端から前方へ延出する略Ｌ字形状であってもよい。なお、接続部材が接続される箇所としては、一端が商品陳列棚の前方側であり、他方が商品前出し体２であれば特に制限されない。また、接続部材としては、特に制限されず、帯状鋼板以外に、例えばゴムなどが挙げられる。
商品陳列面７を形成する陳列棚９は、第５図及び第６図に示すように、背の高い３つの高リブ７１と背の低い２つの低リブ７２の繰り返しから成る商品陳列面７と、商品転落防止板が係合する横係合溝８を有する前方部材７７とから構成される。この商品陳列面７は高リブ７１（滑り手段）を有すると共に、高リブ７１と低リブ７２との協働により後述するような移動枠体４の前方移動をガイドするガイド部を構成する。高リブ７１の上端は尖り状とすることで、滑り易くしている。また、高リブ７１には所定ピッチ毎に商品仕切り板５が係合する縦係合溝７６が形成されている。
この陳列棚９は、第２図に示すように、既存の商品陳列棚５０に設置してもよく、また、新規の陳列棚を構成してもよい。また、商品陳列面７の形状は、前述の背の高い３つの高リブ７１と背の低い２つの低リブ７２の繰り返しから成るもの以外にも、例えば単一高さのリブの繰り返し構造であって、一のリブと該一のリブに隣接する他のリブ間にローラが乗る形態であってもよい。
商品前出し体２は接続部材の前出し機能と共に、第２底板２２の裏面に第２滑り手段であるローラー２３を付設して、移動枠体４の第１底板４１のリブ部材４６上に乗せられているため、設置状態において常に前方移動状態にあり、商品押圧板２１の前方で且つ移動枠体４の前方部材４２間に載置された後方側商品Ａを前出し状態にしている。また、移動枠体４の前方部材４２はこの状態において、前方部材４２の前方に位置する前方側商品Ｂを前出し状態にしている。なお、移動枠体４が設置される商品陳列面７の前方には、商品転落防止板６が設置され、最前列の商品が棚から転落することを防止している。
このように構成される商品自動前出し棚装置１０は、商品が前後方向に多量に並ぶ場合であっても、陳列商品を自動的に直進性を維持して確実に前に送り出す作用力があり、顧客にとっては手前にある商品を取り出し易い。特に、移動枠体４内であって且つ商品前出し体２の前方にある後方側商品Ａが密に載置されており、最前列にある商品が取り出される場合、所謂トロッコ状の移動枠体４内の後方側商品Ａは移動枠体内では移動せず且つ後方側商品Ａを含めた移動枠体全体で前方側商品Ｂを押すため、前方側陳列商品Ｂは前方へ移動し易く、帯状鋼板３の付勢力は弱くてよい。このため、作業者が商品を補充する際、移動枠体４を軽く後方へ押せばよいため、作業労力を軽減することができる。前方側商品Ｂ全部が取り出されると、次いで移動枠体４内の後方側商品Ａが取り出され、商品前出し体２が移動枠体４内の商品を前出しする。この場合、商品はリブ部材４６上にあるため、移動し易くなっている。
上記の構成部材を組み立てて前出し棚装置１０を形成する方法としては、特に制限されないが、例えば、予め移動枠体４に商品前出し体２を組み付けておき、次いで、商品陳列面７上に商品前出し体２を組み込んだ移動枠体４を設置する。この場合、ローラー２９が低リブ７２上に乗るようにし、また接続部材３がローラー２９が乗る低リブ７２、７２間にある他の低リブ７２上にくるようにする（第６図参照）。すなわち、本例におけるガイド部は、一対の高リブ７１と、この高リブ７１間にある低リブ７２であって、ローラー４の両側には高リブ７２が隣接しているため、左右方向の移動を防止して商品前出し体２の直進性を担保している。そして、接続部材３の基端部３２を商品陳列面（陳列棚）７の前方側の例えば係合溝に係合させる。これにより、商品前出し体２は、高リブ７１と低リブ７２からなるガイド部７０にガイドされ且つ設置状態において常に前方移動状態となる。
商品陳列面７の前方端には商品転落防止板６を設置し、更に陳列する商品の幅寸法に応じて左右一対の商品仕切り板５、５を嵌合溝７６に嵌め込む。商品仕切り板５、５の設置方法としては、当該方法に制限されず、例えば任意の位置に形成された嵌合穴に嵌め込む形態であってもよい。このような商品仕切り板と商品前出し体を組み込んだ移動枠体４を１セットとして、適宜の個数のセットを商品陳列面７上に組み付ける。この際、商品仕切り板５は一方の商品前出し体の右側を区画すると共に、該商品前出し体の右側に隣接する商品前出し体の左側を区画する、共通物として使用してもよい。
次に、組み込まれた商品前出し棚装置１０（第２図の左側の移動枠体４）に商品を並べる作業を行う。この作業は、先ず、移動枠体４の前方部材４２と商品押圧板２１間に陳列商品を入れ込むことで行われる。当初の商品は、商品押圧板２２の手前であって且つ移動枠体４の第１底板４１の上面に置かれる。この場合、商品前出し体２は後方へ追いやられるが、移動枠体４は動かない。移動枠体４内が一杯になったら、今度は移動枠体４の前方部材４２の前側に陳列商品を入れ込んでいき、これに伴い、移動枠体４は接続部材３の前方付勢力に抗して後方へ下がり、第１底板２２の後端が陳列棚の後端ストッパー（不図示）に接した時点で商品の補充作業が終了する。
このように構成される商品自動前出し具１０は、商品が前後方向に多量に並ぶ場合であっても、陳列商品を自動的に確実に前に送り出す作用力があり、顧客にとっては手前にある商品を取り出し易い。特に、移動枠体４内であって且つ商品前出し体２の前方にある後方側商品Ｂが密に載置されており、最前列にある商品が取り出される場合、所謂トロッコ状の移動枠体４内の後方側商品Ｂは移動枠体内では移動せず且つ後方側商品Ｂを含めた移動枠体全体で前方側商品Ａを押すため、陳列側商品Ａは前方へ移動し易く、帯状鋼板３の付勢力は弱くてよい。このため、作業者が商品を補充する際、移動枠体７を軽く後方へ押せばよいため、作業労力を軽減することができる。前方側商品Ａ全部が取り出されると、次いで移動枠体７内の後方側商品Ｂが取り出され、商品前出し体２が移動枠体内の商品を前出しする。この場合、商品はリブ部材７６上にあるため、更に移動し易くなっている。なお、高リブ７１の上端は尖り断面状に限定されず、例えば平断面形状状又は半円断面形状であってもよい。また、陳列面には商品仕切り板が係合する縦係合溝が横方向に多数付設されているため、幅寸法が異なる商品毎に横並びで且つ縦列に陳列する場合、商品の幅に見合うピッチで縦列商品毎に個別に好適な前出しができる。
次に、第２の実施の形態における商品自動前出し棚装置を第８図及び第９図を参照して説明する。第８図は本例の前出し棚装置で用いる陳列棚の一部を示す斜視図、第９図は商品陳列面と移動枠体の当接状態を説明する図である。第８図及び第９図において、第１図〜第７図と同一構成要素には同一符号を付して、その説明を省略し、異なる点について主に説明する。すなわち、本例の前出し棚装置１０ａにおいて、第１の実施の形態における商品自動前出し棚装置１０と異なる点は、商品陳列面７の構造、商品前出し体２の底板構造及び前方移動手段である。
前出し棚装置１０ａにおいて、商品陳列面７ａは高リブ７１で形成され、更に後端には後方転落防止板９１ｂを設けている。また、移動枠体４の第１底板２２の裏面は、接続部材が省略され、裏面ほぼ中央には前後方向に延在する左右方向に所定間隔離間した一対のレール状突起４２が付設されている。この一対のレール状突起４２は、設置状態において、商品陳列面７ａの２つの高リブ７１を挟み、且つ前後方向の移動が円滑に行われるものである。このため、レール状突起４２の厚みが高リブ７１間の溝幅よりも小さく、下方に延出する長さは高リブ７１間に係り止めされる程度のものである。すなわち、本例におけるガイド部は、高リブ７１であって、高リブ７１と一対のレール状突起４２との係合において商品前出し体２の前方直進移動がガイドされる。また、前方移動手段は、不図示の商品陳列面７ａを前方傾斜とする手段である。前方傾斜とする手段の具体例としては、前方下り傾斜の既存の陳列面へ陳列棚９を設置する方法、あるいは陳列棚９の後方裏面にスペーサーを介在させ、商品陳列面を前方下り傾斜とする方法などが挙げられる。
前出し棚装置１０ａは、商品前出し体２の商品陳列面７ａとの当接部及び商品陳列面の双方に、それぞれローラー４及び高リブ７１（滑り部材）が付設されており、且つ商品陳列面７ａが前方下り傾斜にあるため、前出し棚装置１０と同様の作用効果を奏する。また、高リブ７１、７１間の溝に商品仕切り板５を嵌め込めるため、掛け違いの無い、きめ細かな仕切りを行うことができる。
次に、第３の実施の形態における商品自動前出し棚装置を第１０図〜第１２図を参照して説明する。第１０図は本例の前出し棚装置で用いる商品前出し体の斜視図、第１１図は本例の前出し棚装置で用いる陳列棚の一部の斜視図、第１２図は商品陳列面と移動枠体の当接状態を説明する図である。第１０図〜第１２図において、第１図〜第７図と同一構成要素には同一符号を付して、その説明を省略し、異なる点について主に説明する。すなわち、本例の前出し棚装置１０ｂにおいて、第１の実施の形態における商品自動前出し棚装置１０と異なる点は、商品陳列面の構造及び移動枠体の底板構造である。
前出し棚装置１０ｂにおいて、商品陳列面７ｂは、前後方向の前方１／２が商品仕切り板が嵌合する縦嵌合溝７６が多数形成されたものであり、残りが前後方向に多数付設されるローラー７３と、ローラー７３に隣接するローラー幅と概ね同じ幅の凹部７４が、左右方向に繰り返し付設されるものである。なお、第１１図の陳列棚９ｂは左右方向に連続するものであって、例えばゴンドラの陳列棚を形成する。なお、商品陳列面７ｂにおける縦嵌合溝７６の占める割合は上記値に限定されず、前方の１／２以下で適宜決定される。
移動枠体４ａにおいて、第１図の移動枠体４と主に異なる点は、第１底板４１のローラー２９が省略され、裏面ほぼ中央には凹部２０３を設け、その両側には商品陳列面のローラー７３と当接する平坦部２０２及び両側端にはスカート部１１を設けた点にある。すなわち、移動枠体４ａを商品陳列面７ｂに載置した場合、スカート部１１、１１は２つのローラー７３、７３の支持部７３１の両側に位置するため、陳列面上における移動枠体４の左右方向の移動を制限し、移動枠体４の前方直進性を担保する。また、商品陳列面７ｂのローラー７３により、移動枠体４の前後方向の移動が円滑に行われる。
前出し棚装置１０ｂにおいて、商品陳列面７ｂにローラー７３が付設されており、且つローラー支持部７３１がガイド部として機能するため、前出し棚装置１０と同様の作用効果を奏する。なお、前出し棚装置１０ｂにおいて、商品陳列面７ｂは上記ローラー７３が付設されたものに限定されず、例えば、第１２図において、ローラー７３を省略したリブ構造であってもよい。この場合においても、リブの上面は滑り易いものであり、且つ一のリブ部材と他のリブ部材がガイド部として機能する。また、商品前出し体２の第２底板２２の裏面に付設されるローラー２３はその設置を省略したものであってもよい（第１６図）。
次に、第４の実施の形態における商品自動前出し棚装置を第１３図〜第１５図を参照して説明する。第１３図は本例の前出し棚装置で用いる商品前出し体の斜視図、第１４図は本例の前出し棚装置で用いる陳列棚の一部の斜視図、第１５図は商品陳列面と商品前出し体の当接状態を説明する図である。第１３図〜第１５図において、第１０図〜第１２図と同一構成要素には同一符号を付して、その説明を省略し、異なる点について主に説明する。すなわち、本例の前出し棚装置１０ｃにおいて、第３の実施の形態における商品自動前出し棚装置１０ｂと異なる点は、商品陳列面の構造及び商品前出し体の接続部材である。
前出し棚装置１０ｃの商品陳列面７ｃにおいて、前出し棚装置１０ｂの商品陳列面７ｂと異なる点は、ローラー７３、７３間の凹部に代えてリブ部材７６１とした点である。リブ部材７６１の高さは、ローラー７３の上面よりやや低くし、更にリブ部材７６１、７６１を左右に所定の隙間離間させることで縦溝を形成している。なお、第１４図の陳列棚９ｃは左右方向に連続するものであって、例えばゴンドラの陳列棚を形成する。
移動枠体４ｂにおいて、第１０図の移動枠体４ａと異なる点は、帯状鋼板３１に代えて、ワイヤー部材３４とした点にある。すなわち、移動枠体４ｂを商品陳列面７ｃに載置した場合、スカート部１１、１１は２つのローラー７３の支持部７３１の両側に位置して、陳列面上における移動枠体４ｂの左右方向の移動を制限する。また、ワイヤー部材３４がリブ部材７６１、７６１間の溝（空間）に入り、ワイヤー部材３４の移動に伴う陳列棚との摩擦が発生することを防止している。
前出し棚装置１０ｃにおいて、商品陳列面７ｃにローラー７３が付設されており、且つローラー支持部７３１がガイド部として機能するため、前出し棚装置１０ｂと同様の作用効果を奏する。
なお、本発明において、自然状態において常に前方移動状態とする手段は、商品陳列面７を形成する陳列棚９の前方端と商品前出し体２を接続する接続部材や商品陳列面を前方傾斜とする方法に限定されず、例えば、陳列棚９の後方端と商品前出し体２を離す方向に付勢するスプリングバネにより該商品前出し体を前方へ押し出す方法であってもよい。
【産業上の利用可能性】  本発明は、スーパー、百貨店、コンビニなどで使用される商品陳列棚であって、商品が前後方向に多量に並ぶ場合であっても、陳列商品を自動的に確実に前に送り出す作用力があり、作業者の前出し作業の労力を軽減すると共に、顧客にとっては商品が取り出し易い。
【図１】
2006028245.tif 000002
【図２】
2006028245.tif 000003
【図３】
2006028245.tif 000004
【図４】
2006028245.tif 000005
【図５】
2006028245.tif 000006
【図６】
2006028245.tif 000007
【図７】
2006028245.tif 000008
【図８】
2006028245.tif 000009
【図９】
2006028245.tif 000010
【図１０】
2006028245.tif 000011
【図１１】
2006028245.tif 000012
【図１２】
2006028245.tif 000013
【図１３】
2006028245.tif 000014
【図１４】
2006028245.tif 000015
【図１５】
2006028245.tif 000016
【図１６】
2006028245.tif 000017
【国際調査報告】
2006028245.tif 000018
2006028245.tif 000019
2006028245.tif 000020
2006028245.tif 000021